(57)【要約】      （修正有）【課題】サンプル用カップ型容器外部のガス湿度や温度、濃度条件を一定に保ち、試験測定することができるようにした無接着剤組合せ式圧着カップ型セルアダプターを提供する。【解決手段】サンプル用カップ型容器１０のツバ部分を平面台３、４でサンドイッチ状に上下から挟み、カップ型セルアダプタ１、２をセル組み合わせ圧着アーム７とアーム締付回転押し込みハンドル８で締め付けることによってサンプル用カップ型容器９をカップ型セルアダプタに圧着する。またカップ型セルアダプタでサンプル用カップ型容器を密空間にて囲い、サンプル用カップ型容器外部ガスの湿度や温度、濃度条件を容易に調整、設定し、ガス注入排出ユニオンジョイント５、６にて試験ガスを他の試験測定装置へ注入、排出する。【選択図】図２
0003175778.tif 000002
【実用新案登録請求の範囲】
【請求項１】
サンプル用カップ型容器のツバ部分をカップ型セルアダプターＡとカップ型セルアダプターＢの平面台Ａと平面台Ｂでセル組合せ圧着アームと締付回転押込みハンドルを使用し締め付けることによりサンドイッチ状に挟み、隙間なく平面台Ａと平面台Ｂの水平な接着面にサンプル用カップ型容器のツバ部分を圧着し接着できるカップ型セルアダプターＡとカップ型セルアダプターＢの二つの器具からなる機具と、サンプル用カップ型容器のツバ部分を圧着するための平面台Ａと平面台Ｂを両側から締付けるためのセル組合せ圧着アームと押込みハンドルからなる機具や構造、そしてサンプル用カップ型容器のツバ部分とカップ型セルアダプターに完全圧着し密着させた後、サンプル用カップ型容器の内部にガス注入排出ユニオンジョイントから試験用ガスを注入し、排出するための装置であり、前記機具は、平面台Ａと平面台Ｂが互いにしっかりかみ合う取付けや取り外し可能なカップ型セルアダプターからなり、前記カップ型セルアダプター互いを両側から締め付ける圧着アームと締付回転押込みハンドル機具や構造は、ねじ切り構造や押し込みの機具からなり、前記カップ型セルアダプターやサンプル用カップ型容器内部にガスを注入、排出は、他の試験用装置に当装置を取り付けるためのガス注入排出ユニオンジョイント機具、またサンプル用カップ型容器をカップ型セルアダプターで囲い、サンプル用カップ型容器外部の試験用ガス湿度や温度、濃度条件を一定に保ち、試験用ガス測定することができるようにした機具からなることを特徴とする無接着剤式圧着カップ型セルアダプター装置。
【請求項２】
前記カップ型セルアダプターとサンプル用カップ型容器ツバ部分圧着手段は平面台Ａと平面台Ｂとサンプル用カップ型容器のツバ部分の外周と内周サイズが等しいステンレスやアルミ製Ｏリング形状でサンプル用カップ型容器のツバ部分を平面台Ａと平面台Ｂで上下から挟み圧着し、密着することを特徴とし、前記カップ型セルアダプター機具の締付け手段は、カップ型セルアダプターＡとカップ型セルアダプターＢを凹凸にメスとオスにねじ切りしたものを回しネジ締める方法や圧着アームを締付回転押込みハンドルを使用し締め付けることにより両サイドからカップ型セルアダプターＡとカップ型セルアダプターＢの平面台Ａと平面台Ｂを挟み押し込みサンプル用カップ型容器のツバ部分を接着することを特徴とし、前記カップ型セルアダプターやサンプル用カップ型容器内部の試験用ガス出入口はカップ型セルアダプターを他の試験用装置に接続するためのガス注入排出ユニオンジョイントからなることを特徴とする請求項１記載の無接着剤式圧着カップ型セルアダプター装置。
【考案の詳細な説明】
【技術分野】
【０００１】本考案は、カップ型セルアダプターＡとカップ型セルアダプターＢにサンプル用カップ型容器を挟み圧着することで、接着剤なしでサンプル用カップ型容器をカップ型セルアダプターに装着させる。同時にサンプル用カップ型容器をカップ型セルアダプターで囲い込むことにより、サンプル用カップ型容器外部のガス湿度や温度、濃度条件を一定に保ち、試験測定することができるようにした機具である。
【背景技術】
【０００２】従来は、アルミやステンレス製平板にサンプル用カップ型容器を接着剤で接着し、サンプル用カップ型容器外部の試験ガス設定条件は、他の試験用装置設置室温のままであり、サンプル用カップ型容器を無接着剤式で平面台Ａと平面台Ｂに装着させ、サンプル用カップ型容器を包み込み、サンプル用カップ型容器外側の湿度等の条件を自由に短時間で設定できる機具はなかった。
【考案の概要】
【考案が解決しようとする課題】
【０００３】サンプル用カップ型容器試験測定の際は、従来の平板アダプターに接着剤で装着していたため多大な時間と労力を必要とする難点やサンプル用カップ型容器を従来の平板アダプターから取り外す場合も接着剤を剥がす際に安全性や再利用性に難点があり、接着剤から発生する有毒ガスにて健康上にも有害であり、また試験測定においてサンプル用カップ型容器外側の湿度、濃度、温度条件は、他の試験用装置設置室温の条件での測定となっていて設定の幅が狭く不安定なものであった。本考案は、この課題を解消するためになされたものである。
【課題を解決するための手段】
【０００４】サンプル用カップ型容器のツバ部分を水平面を持つカップ型セルアダプターＡとカップ型セルアダプターＢの平面台Ａと平面台Ｂにサンドイッチ状に上下から挟み、平面台Ａと平面台Ｂをセル組合せ圧着アームと締付回転押込みハンドルを使用し締め付けることにより平面台とサンプル用カップ型容器のツバ部分を圧着することによって、カップ型セルアダプターとサンプル用カップ型容器を完全密着させると同時に、サンプル用カップ型容器をカップ型セルアダプターで囲むことによりサンプル用カップ型容器外部の試験用ガスの湿度や温度、濃度等の条件を一定に保ち調整する。【０００５】カップ型セルアダプター円周部分つまり平面台の水平面部分でサンプル用カップ型容器ツバ部を圧着し、接着剤の使用を不要にし、さらにサンプル用カップ型容器をカップ型セルアダプターで密着させ包み、必要最小限の空間をつくり、ユニオンジョイントにより試験ガスの出入口を設けて、他の試験測定装置へ試験ガスを取り入れする。
【考案の効果】
【０００６】接着剤なしでサンプル用カップ型容器をカップ型セルアダプターに圧着装着できるようにしたため、時間や労力を大幅に削減でき、安全性も向上し、またサンプル用カップ型容器取り外しも容易になったことや再利用も可能になったことで試験測定時間短縮や産業廃棄物減少、コスト削減や健康維持にもなる。【０００７】サンプル用カップ型容器外側の試験ガス湿度、温度、濃度の条件を希望の調節設定することが容易に短時間でできるようにし、サンプル用カップ型容器外側に狭い空間を作ることにより他の試験用装置設置室温空調施設の電力コスト削減や環境破壊を抑えることもでき、さらに試験ガス条件の安定化による試験測定データの信用性も増す。
【図面の簡単な説明】
【０００８】
【図１】本考案の正面図である。
【図２】本考案の断面図である。
【考案を実施するための形態】
【０００９】符号３，４平面台に符号９サンプル用カップ型容器を符号１０のサンプル用カップ型容器のツバ部分に挟むようにしてセットし、符号１、２カップ型セルアダプターを符号７セル組み合わせ圧着アームの締付により符号３，４平面台と符号１０のサンプル用カップ型容器のツバ部分を圧着させるために、符号８アーム締付回転押し込みハンドルを回しながら押し込み符号７セル組み合わせ圧着アームを縛りこむことにより符号９サンプル用カップ型容器と符号１、２カップ型セルアダプターを圧着し、完全に接着させた後、他の試験測定装置から銅管やスチール管を通して送られてくる試験ガスを符号５，６ガス注入排出ユニオンジョイント接続により注入し排出して、他の試験測定装置に試験ガスを銅管やスチール管を通し戻す。
【符号の説明】
【００１０】１  カップ型セルアダプタＡ
２  カップ型セルアダプタＢ
３  リング状平面台Ａ
４  リング状平面台Ｂ
５  サンプル内側部ガス注入排出ユニオンジョイント
６  サンプル外側部ガス注入排出ユニオンジョイント
７  セル組み合わせ圧着アーム
８  アーム締付回転押し込みハンドル
９  サンプル用カップ型容器
１０  サンプル用カップ型容器のツバ部分
【図１】
0003175778.tif 000003
【図２】
0003175778.tif 000004